【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
喫煙品用パックブランクであって、ヒンジ線に沿って相互に連結された蓋部と基部とを含み、この基部は、ブランクが組み立てられたときに互いに向き合う第１メインパネルおよび第２メインパネルと、底部パネルとを含み、各パネルは、縦方向に延びたサイドマージンによって限定され、サイドパネルが前記第１および第２パネルの縦方向に延びたマージンから延び、サイドフラップが１つのメインパネルのサイドパネルの縦方向に延びたマージンに連結され、ブランクが組み立てられたときに第１および第２メインパネルを連結することを特徴とする喫煙品用パックブランク。
【請求項２】
前記サイドフラップがヒンジ線によって隣接するサイドパネルに連結されていることを特徴とする請求項１記載のブランク。
【請求項３】
前記各パネルが頂部マージンと底部マージンを有することを特徴とする請求項１または２記載のブランク。
【請求項４】
前記底部パネルが少なくとも２つの底部パネル部からなることを特徴とする請求項１乃至３いずれか１項記載のブランク。
【請求項５】
前記底部パネルが２つの底部パネル部からなることを特徴とする請求項４記載のブランク。
【請求項６】
前記底部パネルが軟化線に沿って接合されていることを特徴とする請求項４または５記載のブランク。
【請求項７】
前記軟化線が底部パネルの縦方向に延びたマージンの間を延びていることを特徴とする請求項６記載のブランク。
【請求項８】
前記底部パネルの前記軟化線が底部パネルの縦方向に延びたマージンの間を前記底部パネルの頂部マージンおよび／または底部マージンに対して平行に延びていることを特徴とする請求項７記載のブランク。
【請求項９】
前記軟化線がミシン目線であることを特徴とする請求項６乃至８いずれか１項記載のブランク。
【請求項１０】
前記底部パネル部が互いに一体化されていることを特徴とする請求項４または５記載のブランク。
【請求項１１】
前記底部パネル部が互いに分離可能であることを特徴とする請求項１０記載のブランク。
【請求項１２】
前記底部パネル部が一体化線に沿って互いに分離可能であることを特徴とする請求項１１記載のブランク。
【請求項１３】
前記一体化線が底部パネルの対向する縦方向に延びたマージンの間を延びていることを特徴とする請求項１２記載のブランク。
【請求項１４】
前記一体化線が底部パネルの対向する縦方向に延びたマージンの間を前記底部パネルの頂部マージンおよび／または底部マージンに対して平行に延びていることを特徴とする請求項１３記載のブランク。
【請求項１５】
前記底部パネルが喫煙品の直径の倍数に等しい幅を有し、前記サイドパネルが喫煙品の直径の倍数に等しい幅を有することを特徴とする請求項１乃至１４いずれか１項記載のブランク。
【請求項１６】
メインパネルから延びた各サイドパネルの幅寸法が、そのメインパネルに隣接し、軟化線または一体化線によって形成された底部パネル部の幅寸法に実質的に等しいことを特徴とする請求項１乃至１５いずれか１項記載のブランク。
【請求項１７】
前記パネルが共通の縦方向に延びた軸を有することを特徴とする請求項１乃至１６いずれか１項記載のブランク。
【請求項１８】
前記底部パネルの幅の合計が、前記第１メインパネルの縦方向に延びたマージンから延びたサイドパネルの幅と前記第２メインパネルの縦方向に延びたマージンから延びたサイドパネルの幅との合計に等しいことを特徴とする請求項１乃至１７いずれか１項記載のブランク。
【請求項１９】
前記サイドフラップとサイドパネルを連結する前記ヒンジ線が、前記サイドフラップとこれに隣接するサイドパネルの間を縦方向に延びた共通のマージンから形成されていることを特徴とする請求項２乃至１８いずれか１項記載のブランク。
【請求項２０】
前記サイドフラップが前記基部の第２メインパネルのサイドパネルの外方の縦方向に延びたマージンから延びていることを特徴とする請求項１乃至１９いずれか１項記載のブランク。
【請求項２１】
前記ブランクが組み立てられたとき、前記サイドフラップが前記第１または第２メインパネルのサイドパネルの縦方向に延びたマージンから延び、前記サイドフラップがもう一方のメインパネルのサイドパネルの上に重なることを特徴とする請求項１乃至２０いずれか１項記載のブランク。
【請求項２２】
前記サイドパネルおよび前記サイドフラップが実質的に同じ幅を有することを特徴とする請求項２１記載のブランク。
【請求項２３】
前記ブランクが組み立てられたとき、サイドフラップを有する方のサイドパネルが、組み立てられたブランクの側壁を縦方向に延びたヒンジ線を形成することを特徴とする請求項１乃至２２いずれか１項記載のブランク。
【請求項２４】
前記ブランクが外方ブランクであることを特徴とする請求項１乃至２３いずれか１項記載のブランク。
【請求項２５】
前記基部が２つのサイドフラップを含み、これらサイドフラップがそれぞれ前記２つのメインパネルの内の１つのメインパネルの第１および第２サイドパネルの縦方向に延びたマージンから延びていることを特徴とする請求項７記載のブランク。
【請求項２６】
前記サイドフラップがそれぞれ前記第２メインパネルの第１および第２サイドパネルの外方の縦方向に延びたマージンから延びていることを特徴とする請求項２５記載のブランク。
【請求項２７】
前記第２メインパネルの頂部マージンから底部マージンへと縦方向に延びている第２の軟化線をさらに含むことを特徴とする請求項２５または２６記載のブランク。
【請求項２８】
前記第２軟化線が縦方向に前記第２メインパネルの縦方向に延びたサイドマージンに対して実質的に平行に延びていることを特徴とする請求項２７記載のブランク。
【請求項２９】
前記第２軟化線が前記第２メインパネルの底部マージンから前記底部パネル内へと延びていることを特徴とする請求項２７または２８記載のブランク。
【請求項３０】
前記第２軟化線がミシン目線であることを特徴とする請求項２７乃至２９いずれか１項記載のブランク。
【請求項３１】
組み立てられた際に喫煙品の束を包むことができる複数の内方ブランクと組み合わされる請求項１乃至３０いずれか１項記載のブランク。
【請求項３２】
請求項１乃至３０いずれか１項記載の喫煙品パックブランクと複数の内方ブランクとを含み、前記喫煙品パックブランクが前記複数の内方ブランクの周りに組み立てることができる喫煙品パック。
【請求項３３】
前記内方ブランクがそれぞれ少なくとも１つのメインパネルを有することを特徴とする請求項３２記載の喫煙品パック。
【請求項３４】
前記内方ブランクがそれぞれ２つのメインパネルを含むことを特徴とする請求項３３記載の喫煙品パック。
【請求項３５】
前記喫煙品パックブランクが前記複数の内方ブランクの周りに組み立てられ、蓋によって閉じた状態に維持されることを特徴とする請求項３２記載の喫煙品パック。
【請求項３６】
請求項３１記載の喫煙品パックの製造方法であって、包装材に喫煙品の束を包む工程と、内方ブランクをパック組み立て装置に供給する工程と、前記内方ブランクを部分的に組み立てる工程と、前記包装された喫煙品の束を前記部分的に組み立てられた内方ブランクに充填する工程と、前記包装された喫煙品の束の周りで前記部分的に組み立てられたブランクを完全に組み立てる工程と、２つ以上の内方ブランクが充填される前に部分的に組み立てられる喫煙品パックブランクをパック組み立て装置に供給する工程と、前記部分的に組み立てられた喫煙品パックブランクを前記内方ブランクの周りに組み立てることを特徴とする喫煙品パックの製造方法。